(57)【要約】      （修正有）【課題】一体成形パレットの隅桁、中間桁及び中央桁の角部を補強するための、補強リブを形成する手段を提供する。【解決手段】フォークリフトのフォークが、フォーク挿入口に挿入された際に、フォークが、当接し易い隅桁の内側角部及び中央桁３の角部に形成された角筒状部分Ｔに、一体成形パレットＰの上部デッキから下部デッキｐ２まで達する垂直な垂直補強リブｔ１を形成するとともに、角筒状部分Ｔを、上下方向に二分する水平板状部ｔ２を形成したことにより、隅桁の内側角部や中央桁３の角部を、補強すことができるとともに、一体成形パレットＰの強度や剛性を高めることができる。【選択図】図３
2014005023.tif 000002
【特許請求の範囲】
【請求項１】
一体成形パレットにおいて、フォークリフトのフォークが、フォーク挿入口に挿入された際に、フォークが、当接し易い桁の角部に形成された筒状部分に、固定金型と可動金型とにより成形された、筒状部分を上下方向に二分する水平板状部が形成されていることを特徴とする一体成形パレット。
【請求項２】
筒状部分に、上部デッキから下部デッキまで達する垂直な垂直補強リブが形成されていることを特徴とする請求項１に記載の一体成形パレット。
【発明の詳細な説明】
【技術分野】
【０００１】
本発明は、一体成形パレットの桁の強度を上げるとともに、金型の破損を防止するための一体成形パレットに関するものである。
【背景技術】
【０００２】
上部デッキと、下部デッキと、上部デッキと下部デッキとを連結する隅桁と、同じく、上部デッキと下部デッキとを連結する中間桁と、同じく、上部デッキと下部デッキとを連結する中央桁とからなる一体成形された一体成形パレットが、一例として、特許文献１に開示されている。また、一体成形パレットには、特許文献１に記載されているように、隅桁と中間桁との間、及び、中間桁と中央桁との間には、フォークリフトのフォークが挿入されるフォーク挿入口が形成されている。
【０００３】
一体成形パレットのフォーク挿入口に、フォークが挿入された際には、フォークが、フォーク挿入口を形成する隅桁、中間桁及び中央桁のフォークが当接される可能性が高い角部に当接し、中間桁及び中央桁が損傷する場合がある。そのために、特許文献１においては、フォークが当接し易い、隅桁、中間桁及び中央桁の角部には、角部に形成された角筒状部分に、上部デッキから下部デッキまで達する垂直な補強リブが形成されている。
【先行技術文献】
【特許文献】
【０００４】
【特許文献１】特開平１１−１４７５３０号公報
【発明の概要】
【発明が解決しようとする課題】
【０００５】
上述した一体成形パレットの隅桁、中間桁及び中央桁の角部を補強するために、隅桁、中間桁及び中央桁の角部に形成された角筒状部分に、上部デッキから下部デッキまで達する垂直な補強リブが形成されているために、補強リブが形成される筒状部分を成形するための金型が細く、且つ、長くなり、従って、補強リブが形成される角筒状部分を成形するための金型が破損し易いという問題があった。
【０００６】
本発明の目的は、上述した従来の一体成形パレットが有する課題を解決することにある。
【課題を解決するための手段】
【０００７】
本発明は、上述した目的を達成するために、一体成形パレットにおいて、第１には、フォークリフトのフォークが、フォーク挿入口に挿入された際に、フォークが、当接し易い桁の角部に形成された筒状部分に、固定金型と可動金型とにより成形された、筒状部分を上下方向に二分する水平板状部を形成したものであり、第２には、筒状部分に、上部デッキから下部デッキまで達する垂直な垂直補強リブを形成したものである。
【発明の効果】
【０００８】
一体成形パレットにおいて、フォークリフトのフォークが、フォーク挿入口に挿入された際に、フォークが、当接し易い桁の角部に形成された筒状部分に、固定金型と可動金型とにより成形された、筒状部分を上下方向に二分する水平板状部を形成したので、角部を、補強すことができるとともに、一体成形パレットＰの強度や剛性を高めることができる。
【０００９】
また、筒状部分に、上部デッキから下部デッキまで達する垂直な垂直補強リブを形成したので、更に、角部を、補強すことができるとともに、一体成形パレットＰの強度や剛性を高めることができる。
【００１０】
更に、フォークリフトのフォークが、フォーク挿入口に挿入された際に、フォークが、当接し易い桁の角部に形成された筒状部分に、上下方向に二分する水平板状部を形成したので、固定金型の金型ブロックと可動金型の金型ブロックの長さを、従来の水平板状部が形成されていない従来の固定金型の金型ブロックと可動金型の金型ブロックとの長さの半分となり、従って、固定金型の金型ブロックと可動金型の金型ブロックの損傷を防止することができる。
【図面の簡単な説明】
【００１１】
【図１】図１は、本発明の一体成形パレットの斜視図である。
【図２】図２は、本発明の一体成形パレットの一部垂直断面を含む部分拡大斜視図である。
【図３】図３は、同じく、本発明の一体成形パレットの一部垂直断面を含む部分拡大斜視図である。
【図４】図４は、本発明の一体成形パレットを、水平板状部の略中央に沿った部分拡大水平断面図である。
【図５】図５は、本発明の別の実施例の一体成形パレットを、水平板状部の略中央に沿った部分拡大水平断面図である。
【図６】図６は、本発明の更に別の実施例の一体成形パレットを、水平板状部の略中央に沿った部分拡大水平断面図である。
【実施例】
【００１２】
以下に、本発明の実施例について説明するが、本発明の趣旨を越えない限り何ら、本実施例に限定されるものではない。
【００１３】
図１には、本発明の一体成形パレットＰが示されているが、実質的には、特開平１１−１４７５３０に記載されている一体成形パレットと同じであるので、本発明の一体成形パレットＰの基本的な構成の詳細な説明は省略する。
【００１４】
１は、一体成形パレットＰの４つの角部に形成された隅桁であり、２は、隅桁の中間に形成された中間桁であり、３は、一体成形パレットＰの中央部に形成された中央桁である。また、隅桁１と中間桁２との間、及び、中間桁２と中央桁３との間には、フォークリフトのフォークが挿入されるフォーク挿入口４が形成されている。
【００１５】
隅桁１の内側角部（中央桁３の４つの角部３ａの１つと対向する角部）１ａには、上述した公知のように角筒状部分Ｔが形成されており、また、中央桁３の４つの角部３ａにも、同様の角筒状部分Ｔが形成されている。このような、隅桁１の内側角部１ａや中央桁３の４つの角部３ａは、フォークリフトのフォークが、フォーク挿入口４に挿入された際に、フォークが、当接し易い角部１ａ、３ａであり、これら角部１ａ、３ａに形成されている公知の角筒状部分Ｔには、公知のように、一体成形パレットＰの上部デッキｐ１から下部デッキｐ２まで達する垂直な補強リブｔ１が形成されている。
【００１６】
次に、図３及び図４を用いて、中央桁３の角部３ａに形成された角筒状部分Ｔを例に、角筒状部分Ｔの構成について説明する。
【００１７】
角筒状部分Ｔには、公知のように、一体成形パレットＰの中心部方向に、対角線状に延在する、一体成形パレットＰの上部デッキｐ１から下部デッキｐ２まで達する垂直な垂直補強リブｔ１が形成されている。また、角筒状部分Ｔの高さ方向の中間部には、角筒状部分Ｔを、上下方向に二分するように、方形状の水平板状部ｔ２が形成されている。
【００１８】
上述したように、フォークリフトのフォークが、フォーク挿入口４に挿入された際に、フォークが、当接し易い隅桁１の内側角部１ａ及び中央桁３の角部３ａに形成された角筒状部分Ｔに、一体成形パレットＰの上部デッキｐ１から下部デッキｐ２まで達する垂直な垂直補強リブｔ１を形成するとともに、角筒状部分Ｔを、上下方向に二分する水平板状部ｔ２を形成したので、隅桁１の内側角部１ａや中央桁３の角部３ａを、補強すことができるとともに、一体成形パレットＰの強度や剛性を高めることができる。
【００１９】
また、一体成形パレットＰを射出成形する際には、公知のように、固定金型と可動金型等とからなる金型により成形されることになるが、垂直補強リブｔ１を有する角筒状部分Ｔに、上述した水平板状部ｔ２を成形するためには、上述したように、公知の垂直補強リブｔ１を有する角筒状部分Ｔを成形する固定金型の金型ブロックと可動金型の金型ブロックの長さを、従来の水平板状部ｔ２が形成されていない従来の固定金型の金型ブロックと可動金型の金型ブロックとの長さの半分となり、従って、固定金型の金型ブロックと可動金型の金型ブロックの損傷を防止することができる。
【００２０】
なお、図５に示されているように、水平板状部ｔ２の適当な個所には、図５に示されているように、水抜き孔ｔ３を穿設することができる。
【００２１】
また、図６に示されているように、中間桁２の内側角部（フォークが、フォーク挿入口４に挿入された際に、フォークと対向する側に位置する一対の角部）に位置する角筒状部分Ｔにも、水平板状部ｔ２を形成することもできる。なお、図６に示されている水平板状部ｔ２には、上述した水抜き孔ｔ３が穿設されている例が示されている。
【符号の説明】
【００２２】
Ｐ・・・・・・・・・・・一体成形パレット
ｐ１・・・・・・・・・・上部デッキ
ｐ２・・・・・・・・・・下部デッキ
Ｔ・・・・・・・・・・・角筒状部分
ｔ１・・・・・・・・・・垂直補強リブ
ｔ２・・・・・・・・・・水平板状部
１・・・・・・・・・・・隅桁
２・・・・・・・・・・・中間桁
３・・・・・・・・・・・中央桁
【図１】
2014005023.tif 000003
【図２】
2014005023.tif 000004
【図３】
2014005023.tif 000005
【図４】
2014005023.tif 000006
【図５】
2014005023.tif 000007
【図６】
2014005023.tif 000008